(57)【特許請求の範囲】
【請求項１】
表面に配送情報記入部を有する貼付票と、同じく表面に配送情報記入部を有する個数口用貼付票と、同じく表面に配送情報記入部を有する配達票兼受領票と、同じく表面に配送情報記入部を有する控票とを、裏面に粘着剤を塗布するとともに剥離紙で被覆してなる貼着シートの表面に接着剤で接着する一方、前記個数口用貼付票は少なくとも貼着シートの対応部分とともに分離可能に構成し、前記配達票兼受領票は貼着シート及び剥離紙の対応部分とともに分離可能に構成し、前記控票は前記貼着シートの対応部分に対して剥離可能に構成したことを特徴とする配送票。
【請求項２】
表面に配送情報記入部を有する貼付票と、同じく表面に配送情報記入部を有する個数口用貼付票と、同じく表面に配送情報記入部を有する配達票兼受領票と、同じく表面に配送情報記入部を有する控票とを、裏面に粘着剤を塗布するとともに剥離紙で被覆してなる貼着シートの表面に接着剤で接着する一方、前記個数口用貼付票は少なくとも貼着シートの対応部分とともに分離可能に構成し、前記控票と前記配達票兼受領票は前記貼着シートの対応部分に対して剥離可能に構成したことを特徴とする配送票。
【請求項３】
表面に配送情報記入部を有する貼付票と、同じく表面に配送情報記入部を有する個数口用貼付票と、同じく表面に配送情報記入部を有する配達票兼受領票と、同じく表面に配送情報記入部を有する控票とを、貼着シートの表面に接着剤で接着する一方、この貼着シートの裏面における前記貼付票と前記個数口用貼付票とに対応する部分には粘着剤を塗布するとともに剥離紙で被覆し、前記個数口用貼付票は少なくとも貼着シートの対応部分とともに分離可能に構成し、前記控票と前記配達票兼受領票は前記貼着シートの対応部分とともに分離可能に構成したことを特徴とする配送票。
【請求項４】
貼着シートに対して剥離可能な構成は接着面の少なくとも一方に接着剤遮蔽層を設けてなることを特徴とする請求項１または請求項２記載の配送票。
【発明の詳細な説明】
【０００１】
【産業上の利用分野】
本発明は、配送票に関し、より詳細には、配送品に貼付する貼付票及び個数口用貼付票と、適宜分離、あるいは剥離して使用する配達票兼受領票と控票とを、貼着シートの表面側に同一面上に並設して接着し、この貼着シートの少なくとも前記貼付票と前記個数口用貼付票に対応する裏面に粘着剤を塗布するとともに剥離紙で被覆してなる配送票に関する。
【０００２】
【従来の技術】
従来から各種の配送票が存在するが、その一般的な構成は、貼付票や配達票をはじめとする複数の配送伝票を重ね合わせて一端側で綴じ合わせるとともに、最上位の配送伝票への記入で下位の各配送伝票へ複写記入できるように複写構造を設けたものである。
【０００３】
【発明が解決しようとする課題】
このため従来にあっては、複写記入するために所定以上の印字圧が必要となるため、ノンインパクトプリンタは使用することができないという不都合があった。本発明はこのような不都合を解消した配送票を提供することを目的とする。
【０００４】
【課題を解決するための手段】
上述した目的を達成するために本発明の配送票は、表面に配送情報記入部を有する貼付票と、同じく表面に配送情報記入部を有する個数口用貼付票と、同じく表面に配送情報記入部を有する配達票兼受領票と、同じく表面に配送情報記入部を有する控票とを、裏面に粘着剤を塗布するとともに剥離紙で被覆してなる貼着シートの表面に接着剤で接着する一方、前記個数口用貼付票は少なくとも貼着シートの対応部分とともに分離可能に構成し、前記配達票兼受領票は貼着シート及び剥離紙の対応部分とともに分離可能に構成し、前記控票は前記貼着シートの対応部分に対して剥離可能に構成したものである。
【０００５】
また、表面に配送情報記入部を有する貼付票と、同じく表面に配送情報記入部を有する個数口用貼付票と、同じく表面に配送情報記入部を有する配達票兼受領票と、同じく表面に配送情報記入部を有する控票とを、裏面に粘着剤を塗布するとともに剥離紙で被覆してなる貼着シートの表面に接着剤で接着する一方、前記個数口用貼付票は少なくとも貼着シートの対応部分とともに分離可能に構成し、前記控票と前記配達票兼受領票は前記貼着シートの対応部分に対して剥離可能に構成することもできる。
【０００６】
さらに、表面に配送情報記入部を有する貼付票と、同じく表面に配送情報記入部を有する個数口用貼付票と、同じく表面に配送情報記入部を有する配達票兼受領票と、同じく表面に配送情報記入部を有する控票とを、貼着シートの表面に接着剤で接着する一方、この貼着シートの裏面における前記貼付票と前記個数口用貼付票とに対応する部分には粘着剤を塗布するとともに剥離紙で被覆し、前記個数口用貼付票は少なくとも貼着シートの対応部分とともに分離可能に構成し、前記控票と前記配達票兼受領票は前記貼着シートの対応部分とともに分離可能に構成することもできる。
【０００７】
またさらに、上述の如き配送票における控票と配達票兼受領票の貼着シートに対する剥離可能な構成は、接着面の少なくとも一方に接着剤遮蔽層を設けると好適である。
【０００８】
【作用】
貼付票と、個数口用貼付票と、配達票兼受領票と、控票とを、同一面上に設けたので、これら各票の表面に設けた配送情報記入部に対する印字をノンインパクトプリンタを使用して行うことができる。
【０００９】
【実施例】
以下、本発明を会員制の通信販売における商品の配送に使用する配送票に適用した場合の好適な実施例について、添付図面に基づき詳細に説明する。ここにおいて、図１〜図６は第１実施例を示し、図１は配送票の平面図、図２はそのＡ−Ａ線断面図、図３は所定事項を記入した配送票の平面図、図４は貼付票と着店控票の組を配送品に貼着した状態を示す斜視図、図５は着店控票の裏面を示す平面図、図６は図４に示す貼付票と着店控票の組から着店控票を剥離した状態を示す平面図である。また、図７は第２実施例を示す断面図、図８は第３実施例を示す断面図、図９は第４実施例を示す一部を破断した背面図である。
【００１０】
まず、図１〜図６に基づき第１実施例を説明する。図１及び図２に示すように、配送票１は、裏面に粘着剤２が塗布されるとともに剥離紙３で被覆されてなる貼着シート４の表面に、１枚のシートを接着剤１２で接着したうえ、貼付票５と着店控票６と個数口用貼付票７とをスリット８，９で区画形成するとともに、配達票兼受領票１０を切り用ミシン目１１で区画形成して、前記各票５，６，７，１０を同一面上に並設している。前記スリット８は貼着シート４にも及び、前記切り用ミシン目１１は剥離紙３にも及んでいる。なお、前記接着剤１２は、通常の感圧性接着剤や感熱性接着剤を用いればよい。
【００１１】
そして、配送票１の幅方向両側端である、個数口用貼付票７と配達票兼受領票１０のスリット８あるいは切り用ミシン目１１とは反対側端には、それぞれ剥離紙３にまで及ぶ切り用ミシン目１３ａ，１３ｂと、移送孔１４ａ，１４ｂとが設けられている。なお、図示してはいないが、配送票１は、天地方向に折り兼切り用ミシン目を境として多数連接された連続状態にある。
【００１２】
貼付票５の表面には、「お届け先（１）」という標題の下に、配送情報記入部たる届先記入欄１５が設けられている。また、控票たる着店控票６の表面には、「着店控」という標題の右に、受付年月日記入欄１６、着店コード記入欄１７、荷送人記入欄１８、届先を記入する荷受人記入欄１９、伝票番号記入欄２０、荷主コード記入欄２１、出荷個数記入欄２２、取扱者捺印欄２３、着店受取印捺印欄２４からなる配送情報記入部が設けられている。そして、前記荷送人記入欄１８には通信販売会社の住所及び名称があらかじめ印刷され、前記荷主コード記入欄２１には通信販売会社のコード番号があらかじめ印刷されている。
【００１３】
一方、個数口用貼付票７の表面には、「お届け先（２）」という標題の下に、届先記入欄２５と伝票番号記入欄２６とからなる配送情報記入部が設けられるとともに、通信販売会社の名称である荷送人表示２７があらかじめ印刷されている。また、配達票兼受領票１０の表面には、「配達票兼受領票」という標題の下に、会員番号記入欄２８、伝票番号記入欄２９、出荷個数記入欄３０、届先を記入する荷受人記入欄３１、受領印捺印欄３２からなる配送情報記入部が設けられるとともに、通信販売会社の名称である荷送人表示３３があらかじめ印刷されている。
【００１４】
一方、図２、図５及び図６で理解できるように、着店控票６の裏面である貼着シート４との接着面には、通常の印刷インキをベタ印刷して形成した接着剤遮蔽層３４が設けられている。そして、剥離端となる前記着店控票６の切り用ミシン目１１側を除いた三周縁に沿って、所定間隔をおいて並ぶベタ印刷を施さない四角形状の非設置部３５を設けるとともに、前記切り用ミシン目１１とは反対側の端縁に沿って、細い帯状の非設置部３６を設けている。したがって、前記接着剤遮蔽層３４に対応する部分では接着剤１２の接着力が弱化する一方、前記各非設置部３５，３６対応部分の接着剤１２は通常の接着力を維持する。
【００１５】
また、図６で明らかなように、貼着シート４にも、その表面である着店控票６との接着面に、剥離端に対応する部分に接着剤遮蔽層３４と同様に形成した接着剤遮蔽層３７を設けるとともに、宣伝文３８と荷送人表示３９を印刷して、これらに対応する部分での接着剤１２の接着力を弱化させている。このように、接着剤遮蔽層３４，３７及び宣伝文３８と荷送人表示３９を設けることによって、接着剤１２の接着力を調整し、前記着店控票６は前記貼着シート４に対して容易、かつ確実に剥離可能となる一方、非設置部３５，３６の存在によって無用な剥離を防止している。
【００１６】
各接着剤遮蔽層３４，３７及び宣伝文３８と荷送人表示３９は、貼着シート４または着店控票６の接着面の一方にのみ接着剤１２を塗布する場合には、接着剤１２の非塗布面あるいは塗布した接着剤表面の少なくとも一方に設ければよく、前記接着面の双方に接着剤１２を塗布する場合には、塗布した接着剤表面の双方に設ければよい。なお、接着剤遮蔽層３４を有色インキで形成すると、貼付票５、個数口用貼付票７、配達票兼受領票１０と着店控票６との識別が容易となるほか、前記着店控票６の表面側からの透過を防止して貼着シート４の表面に設けた情報を視認しにくくし、また、前記着店控票６の表面に表示した情報が見易いという利点がある。この利点は、特に着店控票６が透過性を有する場合に有効である。
【００１７】
本実施例は以上のように構成したので、移送孔１４ａ，１４ｂを利用して連続状態にある配送票１を移送しながら、適宜なノンインパクトプリンタにより、図３に示すように、各届先記入欄１５，２５と各荷受人記入欄１９，３１には所定の届先情報４０，４１，４２，４３を印字し、受付年月日記入欄１６には受付年月日４４を印字し、着店コード記入欄１７には所定の着店コード４５を印字し、各伝票番号記入欄２０，２６，２９には所定の伝票番号４６，４７，４８を印字し、各出荷個数記入欄２２，３０には所定の出荷個数４９，５０を印字し、会員番号記入欄２８には所定の会員番号５１を印字したうえ、各切り用ミシン目１３ａ，１３ｂを破断するとともに、単片化すると使用可能状態となる。
【００１８】
したがって、配達票兼受領票１０を切り用ミシン目１１で切り離す一方、貼着シート４の裏面に設けた剥離紙３を一端側から捲り上げれば、粘着剤２が露出し、個数口用貼付票７はスリット８により対応する貼着シート４とともに貼付票５及び着店控票６から分離して、貼付票５及び着店控票６の組と個数口用貼付票７とを所定の二つの配送品６０（貼付票５及び着店控票６の組を貼着する１個のみ図示、図６参照）に、それぞれ貼着シート４とともに貼着することができる。
【００１９】
ここで、切り離した配達票兼受領票１０は、通常の配達票兼受領票や控票と同様に、表示された配送情報に基づく配送業務に用いられ、また、配送品６０の届け先において、受領印捺印欄１２に受領印を捺印してもらい受領票としても機能する。また、貼付票５及び個数口用貼付票７は、貼着シート４とともに配送品６０（１個のみ図示）に確実に接着された状態を維持する一方、着店控票６は、受領印捺印欄２４側（右下隅部）から捲り上げると、この部分には接着剤遮蔽層３４，３７が対応位置しているから容易、かつ円滑に前記貼着シート４から剥離しする。したがって、剥離した着店控票６は、通常の着店控票と同様に、配送品６０の着店で保管して配送業務の管理を行うことができる。
【００２０】
次に、第２実施例を図７に基づいて説明する。本実施例の配送票７０が上述した第１実施例と相違するのは、並設した二枚の個数口用貼付票７，７１を備える点と、配達票兼受領票７２の裏面である貼着シート４との接着面にも、着店控票６と同様に通常の印刷インキをベタ印刷して形成した接着剤遮蔽層７３を設ける一方、前記貼着シート４の表面の剥離端に対応する部分に接着剤遮蔽層７３と同様の接着剤遮蔽層７４を設けた点である。なお、前記配達票兼受領票７２をきわめて容易に剥離するために、前記接着剤遮蔽層７３には、非設置部は設けられていない。その他の構成については、第１実施例と同様の構成であるから、対応する構成要素に同一符号を付するに止め、詳細な説明は省略する。
【００２１】
本実施例においては、二枚の個数口用貼付票７，７１を備えたので、３個までの配送品を同時に同一届け先に対して配送可能となり、また、配達票兼受領票７２は、剥離紙３を剥離して露出した粘着剤２により貼着シート４を配送品に貼付する前に貼着シート４から剥離して使用するほか、貼付した後においても貼着シート４から剥離して使用することができる。その他の作用及び使用方法は第１実施例と同様であるからその説明は省略する。
【００２２】
続いて、第３実施例を図８に基づいて説明する。本実施例の配送票８０が上述した第１実施例と相違するのは、貼着シート４の裏面の粘着剤２と同一組成の粘着剤８２は貼付票５（図示せず、図１参照）と個数口用貼付票７に対応する部分にのみ塗布し、この粘着剤８２を剥離紙８３で被覆して構成し、着店控票６の裏面の貼着シート４との接着面には接着剤遮蔽層を設けなかった点と、貼付票５と着店控票６とを区画形成するスリツト９に換えて切り用ミシン目（図示せず）を設けた点である。その他の構成については、第１実施例と同様の構成であるから、対応する構成要素に同一符号を付するに止め、詳細な説明は省略する。
【００２３】
このように構成した本実施例においては、貼付票５と個数口用貼付票７だけが剥離紙８３を剥離して露出した粘着剤８２により配送品に貼着可能であり、着店控票６と配達票兼受領票７２は、露出した粘着剤８２により貼着シート４を介して貼付票５と個数口用貼付票７を配送品に貼付する前に各切り用ミシン目１１（着店控票６については図示せず）から分離して使用するほか、前記貼付票５と前記個数口用貼付票７を貼付した後においても、着店控票６と配達票兼受領票７２は非貼付状態にあるので、同様に各切り用ミシン目１１から分離して使用することができる。その他の作用及び使用方法は第１実施例と同様であるからその説明は省略する。
【００２４】
次に、非設置部の配置パターンの変形例に関する第４実施例を図９に基づき説明する。切り用ミシン目９１を介して連接された配送票９０は、貼付票９２と、個数口用貼付票９３と、着店控票９４と、配達票兼受領票９５とを備え、前記着店控票９４と前記配達票兼受領票９５との裏面である貼着シート９６との接着面には、通常の印刷インキをベタ印刷して形成した接着剤遮蔽層９７が設けられている。そして、剥離端となる切り用ミシン目９８側を除いた前記配達票兼受領票９５の三周縁と、前記着店控票９４の前記切り用ミシン目９８と直交する二辺に沿って、所定間隔をおいて並ぶベタ印刷を施さない四角形状の非設置部９９を設けている。
【００２５】
これらの非設置部９９は、各着店控票９４と各配達票兼受領票９５における対向辺に沿った非設置部９９ａ，９９ｂ同士が（隣接する各配達票兼受領票９５では切り用ミシン目９１を挟んで位置する非設置部９９ａ，９９ｂ同士も）、幅方向にずれて位置している。そして、図では必ずしも明確ではないが、前記非設置部９９ａ，９９ｂの間隔部分は、印字時の移送方向である天地方向には、部分的にも重ならないように位置している。したがって、配達票兼受領票９５において移送方向である天地方向に延びる線を引けば、剥離端部を除いてほとんどのものが、前記各非設置部９９ａ，９９ｂのいずれかと交わることになる。なお、図中１００は剥離紙である。
【００２６】
このように構成した本実施例においては、非設置部９９ａ，９９ｂが、幅方向にずれて位置し、その間隔部分は天地方向には部分的にも重ならないよう位置しているので、配送票９０の移送時に貼着シート９６とほぼ非接着状態にある配達票兼受領票９５の接着剤遮蔽層９７設置部分に、移送方向に延びるシワが生じても、このシワは接着部分である非設置部９９ａ，９９ｂに当接することにより、それ以上移送方向に延びることを阻止される。このため、シワの生じた不良品が連続して多数発生しないという利点がある。なお、着店控票９４については、貼付票９２が天地方向に介在して上述のごときシワを遮断するので、必ずしも非設置部９９ａ，９９ｂをずらして配置する必要はない。その他の構成、作用及び使用方法は第１実施例と同様であるからその説明は省略する。
【００２７】
なお、本発明は上述した各実施例に限定されるものではなく、例えば、貼付票５，９２、個数口用貼付票７，７１，９３、着店控票６，９４、配達票兼受領票１０，７２，９５は、１枚のシートにスリット８，９、あるいは切り用ミシン目１１，９８を設けて区画形成したが、これを各票５，９２，７，７１，９３，６，９４，１０，７２，９５を形成する別体の紙片を並設して構成してもよい。また、接着剤１２の接着力は、通常の剥離困難な接着力に設定するほか、接着力を通常よりも弱めて設定してもよいものである。さらに、貼着シート４，９６から剥離する着店控票６，９４及び配達票兼受領票７２，９５の剥離動作を容易にするために、剥離開始部分にコーナーカットを形成したり、三角形状に切り欠いた切り欠きコーナー部を形成してもよい。
【００２８】
また、接着剤遮蔽層３４，３７，７３，７４，９７は、着色剤を含まない印刷インキを用いてもよく、さらには、ベタ印刷のほかスクリーン印刷で形成してもよい。またさらに、接着剤遮蔽層３４の非設置部は、着店控票６の切り用ミシン目１１側を除いた三周縁に沿って所定間隔をおいて並ぶ四角形状の非設置部３５と、前記切り用ミシン目１１とは反対側の端縁に沿って設けた細い帯状の非設置部３６とによるほか、二周縁、例えば図９に示す着店控票９４におけるような対向する二辺や、全周縁に沿って四角形状の非設置部を等間隔に配置したり、縞状や点状に全面的に設けてもよいもので、少なくとも周縁部の一部に設けられていればよい。
【００２９】
そして、配送票１，７０，８０，９０の移送方向に対して直交する方向に間隔をおいて配置した非設置部３５，９９ａ，９９ｂを、前記直交する方向にずらして、間隔部分が移送方向には部分的にも重ならないように配置すると、接着剤遮蔽層３４，７３，９７にシワが生じた場合でも、このシワは移送方向と直交する方向に設けた非設置部３５，９９ａ，９９ｂに当接して、それ以上延びることを阻止されるので、複数の配送票１，７０，８０，９０に連続的に及ぶことはなく好適である。また、着店控票６，９４や配達票兼受領票７２，９５の円滑な剥離動作を行うためには、これら非設置部３５，３６，９９，９９ａ，９９ｂを設けなくてもよく、特に、剥離開始端の少なくともコーナー部には設けないことが望ましい。さらに、控票は着店控票６，９４に限定されないことはいうまでもない。
【００３０】
【発明の効果】
以上説明したところで明らかなように、本発明によれば、貼付票と、個数口用貼付票と、配達票兼受領票と、控票とを、同一面上に設けたので、各票の表面に設けた配送情報記入部に対する印字をノンインパクトプリンタを使用して同時に行うことができ、また、各票の印字内容はすべて表出するので、印字内容の確認が容易であるという効果を奏する。
【図面の簡単な説明】
【図１】第１実施例の配送票を示す平面図。
【図２】図１のＡ−Ａ線断面図。
【図３】同実施例の所定事項を記入した配送票の平面図。
【図４】同実施例の貼付票と着店控票の組を配送品に貼着した状態を示す斜視図。
【図５】同実施例の着店控票の裏面を示す平面図。
【図６】同実施例の図４に示す貼付票と着店控票の組から着店控票を剥離した状態を示す平面図。
【図７】第２実施例の配送票を示す断面図。
【図８】第３実施例の配送票を示す断面図。
【図９】第４実施例の配送票を示す一部を破断した背面図。
【符号の説明】
１，７０，８０，９０      配送票
２，８２      粘着剤
３，８３，１００      剥離紙
４，９６      貼着シート
５，９２      貼付票
７，７１，９３      個数口用貼付票
８，９      スリット
１０，７２，９５      配達票兼受領票
１１，９１，９８      切り用ミシン目
１２      接着剤
１５，２５      届先記入欄
１６      受付年月日記入欄
１７      着店コード記入欄
１８      荷送人記入欄
１９，３１      荷受人記入欄
２０，２６，２９      伝票番号記入欄
２１      荷主コード記入欄
２２，３０      出荷個数記入欄
２３      取扱者捺印欄
２４      受領印捺印欄
２８      会員番号記入欄
３４，３７，７３，７４，９７      接着剤遮蔽層
３５，３６，９９，９９ａ，９９ｂ      非接着部
６０      配送品
【図１】
0003595020.tif 000002
【図２】
0003595020.tif 000003
【図３】
0003595020.tif 000004
【図４】
0003595020.tif 000005
【図５】
0003595020.tif 000006
【図６】
0003595020.tif 000007
【図７】
0003595020.tif 000008
【図８】
0003595020.tif 000009
【図９】
0003595020.tif 000010